(57)【特許請求の範囲】
【請求項１】
データ付加ＴＶ番組及び付加データを含み、各データがパケット単位で多重された多重ストリームを受信し処理するデジタル放送受信機であって、
前記多重ストリームから前記データ付加ＴＶ番組における動画、及び、前記付加データのパケットを抽出して分離するパケット分離手段と、
視聴者の設定に基づき、前記付加データの表示を行うか否かを制御する制御手段と、
前記動画の符号化データをデコードする動画デコード手段と、
前記動画の解像度を検出する解像度検出手段と、
前記解像度検出手段から検出された動画の解像度と付加データにおけるデータ放送解像度での動画プレーンの解像度とを比較する比較手段と、
前記比較手段からの比較結果に基づき、前記動画デコード手段からの動画データをそのまま又は解像度を変換して出力する変換手段とを備え、
前記解像度検出手段で検出された前記動画の解像度が前記動画プレーン解像度と一致しない場合には、前記制御手段からの制御に応じて、前記変換手段が前記動画データをそのまま又は解像度を変換して出力することを特徴とするデジタル放送受信機。
【請求項２】
前記解像度検出手段で検出された解像度が１４４０×１０８０であり、前記比較手段による比較結果が一致しない場合には、前記制御手段からの制御に応じて、前記変換手段が前記動画データをそのまま又は解像度を変換して出力することを特徴とする請求項１記載のデジタル放送受信機。
【請求項３】
前記解像度検出手段で検出された解像度が５４４×４８０であり、前記比較手段による比較結果が一致しない場合には、前記制御手段からの制御に応じて、前記変換手段が前記動画データをそのまま又は解像度を変換して出力することを特徴とする請求項１記載のデジタル放送受信機。
【請求項４】
前記解像度検出手段で検出された解像度が４８０×４８０であり、前記比較手段による比較結果が一致しない場合には、前記制御手段からの制御に応じて、前記変換手段が前記動画データをそのまま又は解像度を変換して出力することを特徴とする請求項１または２に記載のデジタル放送受信機。
【発明の詳細な説明】
【０００１】
【発明の属する技術分野】
この発明は、デジタル放送の受信を行うデジタル放送受信機に係わり、なかでもデータ放送を行なうデジタル放送を受信するデジタル放送受信機に関する。
【０００２】
【従来の技術】
図５は従来のデジタル放送受信機の一構成例を示すブロック図である。ここで、デジタル放送においては、映像、音声、データ情報などの伝送信号がＭＰＥＧ２のシステムに準拠して多重されており、デジタル放送信号は、各データがパケット（Ｔｒａｎｓｐｏｒｔ  Ｓｔｒｅａｍ  Ｐａｃｋｅｔ）単位で多重された多重ストリーム（Ｔｒａｎｓｐｏｒｔ  Ｓｔｒｅａｍ、ＴＳと呼ぶ）となっている。図５において、２０１はチューナ、２０２はデジタル復調を行いデジタルデータとしてＴＳを選択して出力する復調手段、２０３はＴＳから各データのパケットを分離するパケット分離手段（ＤＥＭＵＸ）、２０４は動画の符号化データをデコードする動画デコード手段、２０５は音声の符号化データをデコードする音声デコード手段、２０６は静止画デコード手段、２０７は文字図形のデータをデコードする文字図形デコード手段、２０８はデータ放送用の表示、切替制御のためのデータを抽出する切替制御データ抽出手段、２０９は静止画、文字図形を記憶するメモリ部、２１１は動画を所定の解像度のプレーンへ変換する動画マッピング手段、２１２は動画スケーリング手段、２１３は静止画スケーリング手段、２１４は動画、静止画、文字図形を合成する合成手段であり、動画静止画の切替領域生成手段２１５、動画静止画切替合成手段２１６、文字図形合成手段２１７により上記合成手段２１４を構成する。２１８は上記各構成手段を制御する制御ＣＰＵ、２１９はリモコンである。
【０００３】
次に、動作を説明する。デジタル放送においてデータ放送が行なわれる場合、データ放送専門の番組（独立データ番組）の他、映像音声を主とし、付加データが同じイベントで放送されるテレビ（ＴＶ）番組（データ付加ＴＶ番組と呼ぶ）がある。データ付加ＴＶ番組の受信においては、通常は主となる映像（動画）、音声により視聴が行なわれるが、視聴者がデータ放送による付加データの表示を行なう場合は、リモコン２１９等におけるデータボタンを押すことにより制御ＣＰＵ２１８からデータ表示指示のデータｄが送られ、データ放送の表示制御がなされ、動画、静止画、文字図形の各プレーン（階層）の合成が行なわれ、付加データが表示される。以下、データ付加ＴＶ番組を受信するものとして、動作を説明する。
【０００４】
受信アンテナで受信された信号はチューナ２０１へ入力され、チャンネルの選択を行う。チャンネル選択された受信信号は復調手段２０２へと送られ、復調手段２０２ではデジタル復調を行い、選択番組を含むＴＳ（Ｔｒａｎｓｐｏｒｔ  Ｓｔｒｅａｍ）を選択して出力する。パケット分離手段２０３では、入力されたＴＳの中から、選択した番組のパケットを分離して取り出し、音声、動画の符号化データ、静止画、文字図形データの各パケットおよびデータ放送用の表示、切替制御に関連するデータのパケット等に分離して出力する。
【０００５】
また、上記パケット分離手段２０３においては、ＴＳにより送信される伝送制御信号（ＰＳＩ、Ｐｒｏｇｒａｍ  Ｓｐｅｃｉｆｉｃ  Ｉｎｆｏｒｍａｔｉｏｎ）、時間情報等が取り出され、これを制御情報として制御ＣＰＵ２１８へと送り、制御ＣＰＵ２１８からは分離を制御する制御データが送られることとなる。そして、上記パケット分離手段２０３から出力された動画、音声の符号化データ、静止画、文字図形のデータの各パケットは、それぞれ動画デコード手段２０４、音声デコード手段２０５、静止画デコード手段２０６、文字図形デコード手段２０７にてデコードされる。また、データ放送用の表示、切替制御に関連するデータのパケットは、切替制御データ抽出手段２０８へと送られ、表示、切替制御のためのデータを抽出し、データ放送用の切替制御データを出力する。
【０００６】
ここで、データ付加ＴＶ番組の映像の表示においては、上記デコード後の動画、静止画、文字図形のデータをそれぞれの所定の解像度で定められたプレーン上に提示し、上記各プレーンを表示切替制御のためのデータおよびデータ表示指示ｄに基づいて合成することで行なわれる。このとき、同時に用いることができる動画、静止画、文字図形プレーンそれぞれの解像度の組み合わせは“データ放送解像度”として規定され、例えば、ＡＲＩＢ（社団法人電波産業会）による国内ＢＳデジタル放送システム標準規格におけるＢＳデジタル放送運用規定によれば、図６のように規定されている。（ＢＳデジタル放送運用規定技術資料、ＡＲＩＢ  ＴＲ−Ｂ１５  第１分冊記載）
【０００７】
さらに、規定された動画のプレーン（動画プレーン）の解像度に対し、それぞれの動画プレーン解像度で提示することができる動画データの解像度、つまり、映像のＭＰＥＧ符号化での画像サイズとアスペクト比が規定されており、上記データ放送解像度の場合と同様、ＢＳデジタル放送システム標準規格におけるＢＳデジタル放送運用規定によれば、図７のようになっている。なお、図中において、解像度は、水平サイズ×垂直サイズ（アスペクト比）で示されており、以下同様に解像度を記す。
【０００８】
図７において、動画データの解像度が提示可能な動画プレーン解像度と一致しない場合については、水平または垂直方向で画素変換を行うことで、所定の解像度の動画プレーンへマッピングし、提示可能とする。よって、水平画素サイズ１２８０、垂直画素サイズ７２０、アスペクト比１６：９の順次走査画像（７２０ｐ動画と呼ぶ）によりデータ付加ＴＶ番組が放送された場合、図６および図７から、水平および垂直方向の画素変換を行ない、１９２０×１０８０（１６：９）の動画プレーンにマッピングし、データ放送解像度９６０×５４０（１６：９）で組み合わせ、提示可能となる。
【０００９】
以上から、切替制御データ抽出手段２０８では、パケット分離手段２０３において分離されたデータ放送用の表示、切替制御に関連するデータのパケットから、データ付加ＴＶ番組受信時には図６にあるようなデータ放送解像度を示すデータを抽出する。例えば、７２０Ｐの動画でＴＶ番組が送られる場合は、データ放送解像度９６０×５４０（１６：９）を示すデータとなる。また、切替制御データ抽出手段２０８は各プレーンを合成する際の動画、静止画のスケーリングの情報や動画静止画の切替領域を示すデータも抽出し、上記データ解像度を示すデータとともに、データ放送用の切替制御データａとして出力する。
【００１０】
上記静止画デコード手段２０６でデコードされた静止画、上記文字図形デコード手段２０７でデコードされた文字図形は、メモリ部２０９に記憶される。上記動画デコード手段２０４でデコードされた動画データは、動画マッピング手段２１１へと送られる。動画マッピング手段２１１では、上記切替制御データ抽出手段２０８からの切替制御データａにより送られるデータ放送解像度に対応する動画プレーンの解像度に基づき、入力された動画データを変換する。上記７２０ｐ動画の場合は、１９２０×１０８０の動画へ変換し、マッピングされる。なお、解像度が一致する場合は、解像度の変換を行なうことなく、同一のサイズの動画プレーン上へ提示でき、そのままのサイズの動画データとして出力される。
【００１１】
上記動画マッピング手段２１１から出力された動画データは動画スケーリング手段２１２へと送られる。データ付加ＴＶ番組において、付加データを表示せず、主となる映像、音声により視聴が行なわれる場合、つまり、データ表示指示ｄが行なわれないときは、上記動画マッピング手段２１１から出力された動画データは、動画スケーリング手段２１２、合成手段２１４においてデータ放送表示のための合成処理を施されることなく、そのまま合成手段２１４から映像として出力され、表示装置へと送られる。また、音声デコード手段２０５においてデコードされた音声もスピーカ等の提示手段へと送られる。
【００１２】
一方、視聴者がデータ放送による付加データの表示を行なう場合は、リモコン２１９等におけるデータボタンを押すことにより制御ＣＰＵ２１８からデータ表示指示のデータｄが送られる。動画スケーリング手段２１２では、データ表示指示ｄが送られると、切替制御データ抽出手段からの切替制御データａに基づき、動画を所定のスケーリング率でスケーリングした後、動画を合成手段２１４内の動画静止画切替合成手段２１６へと送る。また、メモリ部２０９から静止画スケーリング手段２１３へと静止画データが送られ、切替制御データａに基づき、静止画を所定のスケーリング率でスケーリングした後、静止画を合成手段２１４内の動画静止画切替合成手段２１６へと送る。さらに、メモリ部２０９から文字図形のデータが合成手段２１４内の文字図形合成手段２１７へと送られる。
【００１３】
合成手段２１４内の切替領域生成手段２１５では、切替制御データ抽出手段からの切替制御データａに基づき、動画、静止画の切替領域を生成する。例えば、図８に示すように、画面上の矩形領域で切替を行なうような切替領域を生成する。次に、動画静止画切替合成手段２１６は、上記切替領域生成手段２１５で生成された動画、静止画の切替領域により、この内外で動画と静止画を選択し切替た後、動画・静止画の合成画像を文字図形合成手段２１７へと送る。文字図形合成手段２１７では、動画・静止画の合成画像と文字図形をαブレンド合成する。そして、動画、静止画および文字図形が合成された映像は、表示装置へと送られ、表示される。
【００１４】
【発明が解決しようとする課題】
従来のデジタル放送受信機では、データ付加ＴＶ番組の受信において、データ放送用の付加データに伴うデータ放送解像度が規定されているため、動画データの解像度が提示可能な動画プレーン解像度と一致しない場合については、水平または垂直方向での画素変換を行ない所定の動画プレーンの解像度へマッピングする必要があり、付加データの表示を行なわない場合でも動画の解像度を変換し、マッピングが施されることになる。そのため、７２０ｐのような高画質の画像でＴＶ番組が送られているにもかかわらず、付加データの表示を行なわない場合でも動画マッピングにより、画像の解像度の変換が行なわれ、よって、通常の主となる映像を視聴する場合、元々の映像の情報が劣化し、画質が劣化した映像が出力されることになるという問題点があった。
【００１５】
この発明は上記のような問題点を解消するためになされたもので、データ付加ＴＶ番組の受信において、受信データから動画のマッピングが行なわれる解像度か否かを判別し、この判別結果に基づき、通常の映像のみの表示である場合は、動画のマッピングが行なわれる解像度であっても動画のマッピングを行なわないようにすることで、データ放送の表示指示を行なわない限り、データ付加ＴＶ番組における動画の画質を損なうことなく、受信した番組の映像をそのまま表示装置へ送ることができ、データ付加ＴＶ番組における７２０ｐのような高画質映像での画質を劣化させることなく表示することができるデジタル放送受信機を得ることを目的とする。
【００１６】
【課題を解決するための手段】
本発明に係るデジタル放送受信機は、データ付加ＴＶ番組及び付加データを含み、各データがパケット単位で多重された多重ストリームを受信し処理するデジタル放送受信機であって、
前記多重ストリームから前記データ付加ＴＶ番組における動画、及び、前記付加データのパケットを抽出して分離するパケット分離手段と、
視聴者の設定に基づき、前記付加データの表示を行うか否かを制御する制御手段と、
前記動画の符号化データをデコードする動画デコード手段と、
前記動画の解像度を検出する解像度検出手段と、
前記解像度検出手段から検出された動画の解像度と付加データにおけるデータ放送解像度での動画プレーンの解像度とを比較する比較手段と、
前記比較手段からの比較結果に基づき、前記動画デコード手段からの動画データをそのまま又は解像度を変換して出力する変換手段とを備え、
前記解像度検出手段で検出された前記動画の解像度が前記動画プレーン解像度と一致しない場合には、
前記制御手段からの制御に応じて、前記変換手段が前記動画データをそのまま又は解像度を変換して出力するものである。
【００２３】
【発明の実施の形態】
以下、この発明をその実施の形態を示す図面に基づいて具体的に説明する。
実施の形態１．
図１はこの発明の一実施形態によるデジタル放送受信機の構成の一例を示すブロック図である。図において、１はチューナ、２はデジタル復調を行い、ＴＳ（多重ストリーム、Ｔｒａｎｓｐｏｒｔ  Ｓｔｒｅａｍ）を選択して出力する復調手段、３はデジタル放送信号であるＴＳから番組に関連する動画、音声、付加データの符号化されたパケットを抽出して分離するパケット分離手段（ＤＥＭＵＸ）、４は動画の符号化データをデコードする動画デコード手段、５は音声の符号化データをデコードする音声デコード手段、６は静止画デコード手段、７は文字図形のデータをデコードする文字図形デコード手段、８は付加データのパケットからデータ放送の表示および切替え等を制御するためのデータを抽出して、切替制御データを出力する切替制御データ抽出手段、９は静止画と文字図形とを記憶するメモリ部、１０は動画デコード手段４から出力した動画データによって動画の解像度を検出し、提示可能な解像度との一致および不一致を判別して判別結果を判別データｆ１として出力する解像度判別手段、１２は動画スケーリング手段、１３は静止画スケーリング手段、１４は動画、静止画、文字図形を合成する合成手段であり、動画静止画の切替領域生成手段１５、動画静止画切替合成手段１６、文字図形合成手段１７により上記合成手段１４を構成する。１８は上記各構成手段を制御し、付加データの表示を行うか否かの指示を行なうデータ表示指示を出力する制御ＣＰＵ、１９はリモコン、２０はデータ表示指示ｄと判別データｆ１とに基づいて、動画デコード手段４からの動画データを切替制御データａにより所定の解像度へ変換するか否かを選択し、動画デコード手段４からの動画データをそのまま又は解像度を変換して出力する変換手段である動画マッピング手段である。
【００２４】
次に動作について説明する。以下、上述の場合と同様、デジタル放送においてデータ付加ＴＶ番組を受信するものとし、通常は主となる映像、音声により視聴が行なわれるが、視聴者がデータ放送による付加データの表示を行なう場合は、リモコン１９等におけるデータボタンを押すことにより制御ＣＰＵ１８からデータ表示指示のデータｄが送られ、データ放送の表示制御が行われ、動画、静止画、文字図形の各プレーンの合成、付加データの表示が行なわれる。また、図６および図７に示すように、データ放送解像度、動画プレーン解像度が規定されているとして説明する。
【００２５】
受信アンテナで受信された信号はチューナ１へ入力され、チャンネルの選択を行う。チャンネル選択された受信信号は復調手段２へと送られ、復調手段２ではデジタル復調を行い、選択番組を含むＴＳを選択して出力する。パケット分離手段３では、入力されたＴＳの中から、選択した番組のパケットを分離して取り出し、音声、動画の符号化データ、静止画、文字図形データのパケットおよびデータ放送用の表示、切替制御に関連するデータのパケット等に分離して出力する。また、上記パケット分離手段３においては、ＴＳにより送信される伝送制御信号（ＰＳＩ、Ｐｒｏｇｒａｍ  Ｓｐｅｃｉｆｉｃ  Ｉｎｆｏｒｍａｔｉｏｎ）、時間情報等が取り出され、これを制御情報として制御ＣＰＵ１８へと送り、制御ＣＰＵ１８からは分離を制御する制御データが送られる。
【００２６】
上記パケット分離手段３において分離された切替制御に関連するデータのパケットは、切替制御データ抽出手段８へ送られる。切替制御データ抽出手段８では、データ放送用の表示、切替制御に関連するデータのパケットから、図６にあるようなデータ解像度を示すデータを抽出する。例えば、７２０Ｐの動画でＴＶ番組が送られる場合は、データ放送解像度９６０×５４０（１６：９）を示すデータとなる。また、各プレーンを合成する際の動画、静止画のスケーリングの情報や動画静止画の切替領域を示すデータも抽出し、上記データ解像度を示すデータとともに、データ放送用の切替制御データａとして出力する。
【００２７】
そして、上記パケット分離手段３から出力された動画、音声の符号化データ、静止画、文字図形のデータのパケットは、それぞれ動画デコード手段４、音声デコード手段５、静止画デコード手段６、文字図形デコード手段７に送られる。音声デコード手段５では、音声の符号化データをデコードし、デコードされた音声をスピーカ等の提示手段へと送る。静止画デコード手段６でデコードされた静止画、文字図形デコード手段７でデコードされた文字図形は、メモリ部９に記憶される。
【００２８】
動画デコード手段４では、動画の符号化データのデコードを行ない動画データを出力するが、デコードの際に符号化データにおけるシーケンスヘッダのデータを解像度判別手段１０へと送る。解像度判別手段１０では、上記シーケンスヘッダ中の画像サイズ（Ｖｅｒｉｔｉｃａｌ  ｓｉｚｅ、Ｈｏｒｉｚｏｎｔａｌ  ｓｉｚｅ）の情報を検出し、検出された動画データの解像度が、提示可能な動画プレーン解像度と一致しているか否か、つまり、動画のマッピングを行なう解像度に対応するかを判別する。
【００２９】
ここで、図７から、ＨＤ（伝送レートが高いハイビジョン放送、Ｈｉｇｈ  Ｄｅｆｉｎｉｔｉｏｎ  ＴＶ）動画データである各解像度は、１９８０×１０８０の動画プレーン解像度で、ＳＤ（標準テレビ放送、Ｓｔａｎｄａｒｄ  Ｄｅｆｉｎｉｔｉｏｎ  ＴＶ）動画データでの解像度は、アスペクト比が同一の７２０×４８０の動画プレーン解像度で提示可能となっている。また、図６から、３つの動画プレーン解像度はそれぞれのデータ放送解像度に1対1で対応している。従って、動画データの解像度での画像サイズに対し提示可能な動画プレーンの解像度が予め決められるので、動画のマッピングを行なう解像度か否かは、動画データの画像サイズから特定することができる。
【００３０】
例えば、図７の場合は動画データの解像度と動画プレーン解像度を比較すると、ＨＤ動画データにおいては、１２８０×７２０の７２０ｐ動画、１４４０×１０８０の動画が、ＳＤ動画データにおいては、５４４×４８０、４８０×４８０の動画が、画素変換し、マッピングが行なわれる動画に対応し、以上４種類の画像サイズの場合が、動画プレーン解像度と不一致となっている。
【００３１】
以上より、解像度判別手段１０では、上記シーケンスヘッダ中の画像サイズを検出し、検出結果より、上記４種の画像サイズであるかを判別し、例えば画像サイズが上記４種のうちいずれかであれば判別データｆ１としてデータ“１”を出力し、それ以外では“０”を出力する。つまり、７２０Ｐの動画でＴＶ番組が送られる場合は、判別データｆ１は“１”の値が出力される。
【００３２】
なお、上記判別データｆ１は、“１”または“０”の値を出力すると説明したが、この値に限るものではなく、画像サイズから解像度のマッピングを行なうか否かを判別した結果が出力されればよい。
【００３３】
上記動画デコード手段４でデコードされた動画データおよび解像度検出手段１０からの判別データｆ１は、動画マッピング手段２０へと送られる。図２は、動画マッピング手段２０の構成の一例を示すブロック図であり、図において、１０２は切替制御データａにより送られるデータ放送解像度に基づき、動画データを対応する動画プレーンの解像度へ変換するマッピング手段、１０１は判別データｆ１とデータ表示指示ｄにより、動画デコード手段４からの動画データとマッピング手段１０２から出力された動画データとを切替える切替手段である。以下、動画マッピング手段２０での動作を図２により説明する。
【００３４】
動画デコード手段４から動画マッピング手段２０に入力された動画データは、切替手段１０１およびマッピング手段１０２へと送られる。マッピング手段１０２では、切替制御データ抽出手段８からの切替制御データａにより送られるデータ放送解像度に基づき、対応する動画プレーンの解像度へ変換し、マッピングされる。７２０ｐ動画の場合は、１９２０×１０８０の動画へ水平および垂直方向で画素変換し、マッピングされる。なお、解像度が一致する場合は、解像度の変換を行なうことなく、同一のサイズの動画プレーン上へ提示でき、そのままのサイズの動画データとして出力する。マッピング手段１０２から出力された動画は、切替手段１０１へと送られる。
【００３５】
切替手段１０１では、解像度判別手段１０からの判別データｆ１とデータ表示指示ｄにより、動画デコード手段４からの動画とマッピング手段１０２から出力された動画データとを切替える。つまり、判別データｆ１が“１”を示しかつデータ表示指示ｄが行なわれない場合は、動画デコード手段４からの動画を選択して出力する。データ表示指示ｄがある場合は、マッピング手段１０２から出力された動画データを出力する。一方、判別データｆ１が“０”を示す場合は、マッピング手段１０２においても変換は行なわれていないので、切替手段１０１ではどちらの入力を出力してもよいが、例えば、データ表示指示ｄにかかわらずマッピング手段１０２から出力された動画データを選択して出力する。
【００３６】
したがって、データ付加ＴＶ番組において７２０ｐの動画が送られ、データ表示指示ｄが行なわれないときは、切替手段１０１では、動画デコード手段４からの７２０ｐそのままの動画を選択して出力される。データ表示指示ｄが行なわれたときは、切替手段１０１からは、マッピング手段１０２からの１９２０×１０８０の動画へ変換し、マッピングされた動画が出力される。
【００３７】
次に、上記動画マッピング手段２０から出力された動画データは動画スケーリング手段１２へと送られる。動画スケーリング手段１２では、データ表示指示ｄが行なわれず、データ付加ＴＶ番組において主となる映像、音声により視聴が行なわれる場合は、スケーリング処理は施されず、上記動画マッピング手段２０から出力された動画データをそのまま合成手段１４へと送り、合成手段１４では同様に合成処理を施すことなく、そのまま入力された動画を合成手段１４から映像として出力し、表示装置へと送る。よって、７２０ｐの動画が送られた場合には、データ表示指示ｄが行なわれていないので、動画スケーリング手段１２および合成手段１４へは動画デコード手段４からの７２０ｐそのままの動画が送られ、７２０ｐ動画が合成手段１４から映像として出力されることとなり、画像の劣化なく、高画質な映像のまま表示できる。
【００３８】
なお、視聴者がデータ放送による付加データの表示を行なう場合は、リモコン１９等におけるデータボタンを押すことにより制御ＣＰＵ１８からデータ表示指示のデータｄが送られる。動画スケーリング手段１２では、データ表示指示ｄが送られると、切替制御データａに基づき、動画を所定のスケーリング率でスケーリングした後、動画を合成手段１４内の動画静止画切替合成手段１６へと送る。また、メモリ部９から静止画スケーリング手段１３へと静止画データが送られ、切替制御データａに基づき、静止画を所定のスケーリング率でスケーリングした後、静止画を合成手段１４内の動画静止画切替合成手段１６へと送る。さらに、メモリ部９から文字図形のデータが合成手段１４内の文字図形合成手段１７へと送られる。
【００３９】
合成手段１４内の切替領域生成手段１５では、切替制御データ抽出手段８からの切替制御データａに基づき動画、静止画の切替領域を生成する。例えば、図８に示すように、画面上の矩形領域で切替を行なうような切替領域を生成する。次に、動画静止画切替合成手段１６は、上記切替領域生成手段１５で生成された動画、静止画の切替領域により、この内外で動画と静止画を選択し切替た後、動画・静止画の合成画像を文字図形合成手段１７へと送る。文字図形合成手段１７では、動画・静止画の合成画像と文字図形をαブレンド合成する。そして、動画、静止画および文字図形が合成された映像は、表示装置へと送られ、表示される。
【００４０】
以上より、解像度判別手段１０において、動画の画像サイズを示すデータを検出し、動画のマッピングが行なわれる解像度か否かを判別し、その判別結果に基づき、動画マッピング手段２０において、通常の映像のみの表示である場合は、動画のマッピングを行なわず動画デコード手段４からの動画をそのまま映像として出力するように構成したので、データ付加ＴＶ番組における動画の画質を損なうことなく表示装置へ出力することができ、７２０ｐのような高画質の映像の場合、画質の劣化なく受信した動画を表示することができる。
【００４１】
なお、上記実施の形態１では、解像度判別手段１０において、動画デコード手段４からのシーケンスヘッダ中の画像サイズから動画のマッピングが行なわれる解像度に対応するかを検出していたが、受信したＴＳの中に含まれるデータより送られている動画の解像度を検出できればよく、例えば、パケット分離手段３から分離する番組配列情報（Ｓｅｒｖｉｃｅ  Ｉｎｆｏｒｍａｔｉｏｎ、ＳＩと記す）などを用いても同様の効果を奏する。つまり、上記ＳＩでは、サービスのチャンネル名、個々の番組のタイトルや開始終了時間、内容、番組を構成するコンポーネントの種別（映像の画像サイズ、アスペクト比など）などの情報を示すデータをＴＳのパケットとして送られており、これにより判別することができる。
【００４２】
また、上記実施の形態１では、視聴者がデータ放送による付加データの表示を行なう場合は、リモコン１９等におけるデータボタンを押すことにより制御ＣＰＵ１８からデータ表示指示のデータｄが送られるように説明したが、上記動画マッピング手段２０へと送られるデータ表示指示ｄは、視聴者により予め設定できる主映像またはデータ放送用表示の優先指示であってもよい。例えば、主映像の表示を優先する場合は、動画マッピング手段２０へのデータ表示指示ｄは行なわず、切替手段１０１で動画デコーダ４の出力を選択し、データ放送表示を優先する場合は、動画マッピング手段２０へのデータ表示指示ｄを行ない、マッピング手段１０２の出力を選択すれば、上記実施の形態１と同様の効果を奏する。
【００４３】
実施の形態２．
また、上記実施の形態１においては、解像度判別手段１０において動画デコーダ手段４からシーケンスヘッダ中の画像サイズの情報を検出し、検出された画像サイズが、動画プレーン解像度による所定の画像サイズと一致しているかを判別するよう説明しているが、切替制御データ抽出手段８により抽出されるデータ放送解像度と受信データ付加ＴＶ番組の動画解像度とを比較し、判別するよう構成することもできる。
【００４４】
図３はこの発明の他の一実施形態によるデジタル放送受信機の構成の一例を示すブロック図である。図において、１〜９、１２〜１９は上記実施の形態１の図１におけるものと同一のものである。３０は動画の解像度を検出し、検出した解像度を示す情報を出力する解像度検出手段、３１は動画データの解像度と切替制御データａでのデータ放送解像度により示される解像度とを比較し、解像度の一致、不一致を示す判別データとして比較結果ｆ２を出力する比較手段、２１は上記比較手段３１からの結果に基づき動作する動画マッピング手段である。
【００４５】
次に動作を説明する。なお、データ付加ＴＶ番組を受信し、パケット分離手段３でＴＳの中から、選択した番組のパケットを分離して取り出し、動画、音声の符号化データ、静止画、文字図形のデータのパケットをデコードするまでの動作、および切替制御データ抽出手段８において、データ放送用の表示、切替制御に関連するデータのパケットからデータ解像度を示すデータ、スケーリングの情報および動画静止画の切替領域を示すデータを抽出し、データ放送用の切替制御データａとして出力するまでの動作は、上記実施の形態１における図１での動作と同様なので、その詳細な説明は省略する。したがって、以下は解像度検出手段３０、比較手段３１および動画マッピング手段２１での動作を中心に説明する。
【００４６】
動画デコード手段４は、動画の符号化データのデコードを行ない動画データを出力するが、デコードの際に符号化データにおけるシーケンスヘッダのデータを解像度検出手段３０へと送る。解像度検出手段３０は、上記シーケンスヘッダ中の画像サイズ（Ｖｅｒｉｔｉｃａｌ  ｓｉｚｅ、Ｈｏｒｉｚｏｎｔａｌ  ｓｉｚｅ）とアスペクト比（Ａｓｐｅｃｔ  Ｒａｔｉｏ）の情報を検出し、検出された動画データの解像度として、水平、垂直方向の画像サイズとアスペクト比を比較手段３１へ送る。比較手段３１は上記解像度検出手段３０からの検出された動画データの解像度と切替制御データ抽出手段８からの切替制御データａとにより送られるデータ放送解像度との比較を行なう。
【００４７】
切替制御データ抽出手段８からの切替制御データａにより送られるデータ放送解像度については、図６に示すように同時に用いることができる動画、静止画および文字図形の各プレーンでの解像度の組み合わせが規定されている。このため、切替制御データａにより送られるデータ放送解像度から、使用される動画プレーンの解像度が判別できる。よって、上記比較手段３１は切替制御データａによるデータ放送解像度から動画プレーンの解像度として水平と垂直方向との画像サイズとアスペクト比を求め、解像度検出手段３０からの解像度と比較し、比較結果を出力する。
【００４８】
例えば、切替制御データａによるデータ放送解像度での動画プレーン解像度と解像度検出手段３０からの解像度が一致している場合は、解像度の変換がないとして、比較結果ｆ２＝“０”を出力し、不一致の場合は、動画の解像度を変換し、マッピングを行なう解像度に対応するとして、比較結果ｆ２＝“１”を出力する。また、７２０Ｐの動画でＴＶ番組が送られる場合は、解像度検出手段３０で検出される解像度は１２８０×７２０（１６：９）であり、切替制御データａによるデータ放送解像度は９６０×５４０（１６：９）なので、検出された解像度と１９８０×１０８０（１６：９）の動画プレーン解像度と比較して比較結果ｆ２は“１”となる。
【００４９】
なお、上記比較結果ｆ２は、“１”または“０”の値を出力すると説明したが、この値に限るものではなく、比較した結果として、解像度のマッピングを行なうか否かを示す信号が出力されればよい。
【００５０】
動画デコード手段４でデコードされた動画データおよび比較手段３１からの比較結果ｆ２は、動画マッピング手段２１へ送られる。図４は、動画マッピング手段２１の構成の一例を示すブロック図であり、図において、１０１、１０２は実施の形態１で図２により示される動画マッピング手段２０におけるものと同一のものである。
【００５１】
動画デコード手段４から動画マッピング手段２１に入力された動画データは、切替手段１０１およびマッピング手段１０２へと送られる。マッピング手段１０２では、切替制御データ抽出手段８からの切替制御データａにより送られるデータ放送解像度に基づき、対応する動画プレーンの解像度へ変換し、マッピングされる。上記７２０ｐ動画の場合は、１９２０×１０８０の動画へ水平および垂直方向で画素変換し、マッピングされる。なお、解像度が一致する場合は、解像度の変換を行なうことなく、同一のサイズの動画プレーン上へ提示でき、そのままのサイズの動画データとして出力する。マッピング手段１０２から出力された動画は、切替手段１０１へと送られる。
【００５２】
切替手段１０１では、比較手段３１からの比較結果ｆ２とデータ表示指示ｄにより、動画デコード手段４からの動画とマッピング手段１０２から出力された動画データとを切替える。つまり、比較結果ｆ２が“１”を示しかつデータ表示指示ｄが行なわれない場合は、動画デコード手段４からの動画を選択して出力する。データ表示指示ｄがある場合は、マッピング手段１０２から出力された動画データを出力する。一方、比較結果ｆ２が“０”を示す場合は、マッピング手段１０２においても変換は行なわれていないので、切替手段１０１ではどちらの入力を出力してもよいが、例えば、データ表示指示ｄにかかわらずマッピング手段１０２から出力された動画データを選択して出力する。
【００５３】
したがって、データ付加ＴＶ番組において７２０ｐの動画が送られ、データ表示指示ｄが行なわれないときは、切替手段１０１では、動画デコード手段４からの７２０ｐそのままの動画を選択して出力される。データ表示指示ｄが行なわれたときは、切替手段１０１からは、マッピング手段１０２からの１９２０×１０８０の動画へ変換し、マッピングされた動画が出力される。
【００５４】
次に、上記動画マッピング手段２１から出力された動画データは動画スケーリング手段１２へと送られる。動画スケーリング手段１２では、データ表示指示ｄが行なわれず、データ付加ＴＶ番組において主となる映像、音声により視聴が行なわれる場合は、スケーリング処理は施されず、上記動画マッピング手段２１から出力された動画データをそのまま合成手段１４へと送り、合成手段１４では同様に合成処理を施すことなく、そのまま入力された動画を合成手段１４から映像として出力し、表示装置へと送る。よって、このとき、７２０ｐの動画が送られた場合には、データ表示指示ｄが行なわれていないので、動画スケーリング手段１２および合成手段１４へは動画デコード手段４からの７２０ｐそのままの動画が送られ、７２０ｐ動画が合成手段１４から映像として出力されることとなり、画像の劣化なく、高画質な映像のまま表示することができる。
【００５５】
なお、以下、視聴者がデータ放送による付加データの表示を行なう場合の動作は、上記実施の形態１と同一であり、説明を省略する。
【００５６】
以上より、解像度検出手段３０において、受信データ付加ＴＶ番組での動画の画像サイズ、アスペクト比を示すデータを検出し、比較手段３１において、上記検出した動画の解像度と切替制御データａによるデータ放送解像度に基づく解像度を比較して、動画のマッピングが行なわれる解像度か否かを判別し、その結果に基づき、動画マッピング手段２１において、通常の映像のみの表示である場合は、動画のマッピングを行なわず動画デコード手段４からの動画をそのまま映像として出力するように構成したので、データ付加ＴＶ番組における動画の画質を損なうことなく表示装置へ出力することができ、７２０ｐのような高画質の映像の場合、画質の劣化なく受信した動画を表示することができる。
【００５７】
また、切替制御データ抽出手段８で抽出したデータ放送用の切替制御データに基づく解像度と、検出した動画の解像度を比較して一致もしくは不一致を判別するので、受信した動画の解像度に対し、複数の動画プレーン解像度に提示可能な規定が為されている場合でも、動画の解像度を変換し、マッピングされる動画の解像度か否かを受信したデータ放送用の切替制御データに基づくデータ放送解像度から判断することができる。
【００５８】
なお、上記実施の形態２では、解像度検出手段３０において、動画デコード手段４からのシーケンスヘッダ中の画像サイズ、アスペクト比から動画の解像度を検出していたが、受信したＴＳの中に含まれるデータより送られている動画の解像度を検出できればよく、例えば、パケット分離手段３から分離する番組配列情報（Ｓｅｒｖｉｃｅ  Ｉｎｆｏｒｍａｔｉｏｎ、ＳＩと記す）などを用いても同様の効果を奏する。つまり、上記ＳＩでは、サービスのチャンネル名、個々の番組のタイトルや開始終了時間、内容、番組を構成するコンポーネントの種別（映像の画像サイズ、アスペクト比など）などの情報を示すデータをＴＳのパケットとして送られており、これにより判別することができる。
【００５９】
また、上記実施の形態２では、視聴者がデータ放送による付加データの表示を行なう場合は、リモコン１９等におけるデータボタンを押すことにより制御ＣＰＵ１８からデータ表示指示のデータｄが送られるように説明したが、上記動画マッピング手段２１へと送られるデータ表示指示ｄは、視聴者により予め設定できる主映像またはデータ放送用表示の優先指示であってもよい。例えば、主映像の表示を優先する場合は、動画マッピング手段２１へのデータ表示指示ｄは行なわず、切替手段１０１で動画デコーダ４の出力を選択し、データ放送表示を優先する場合は、動画マッピング手段２１へのデータ表示指示ｄを行ない、マッピング手段１０２の出力を選択すればよい。
【００６０】
上記実施の形態１及び２のデジタル放送受信機は、付加データのパケットからデータ放送の表示および切替えを制御するためのデータを抽出して、切替制御データを出力する切替制御データ抽出手段８と、付加データの表示を行うか否かの指示を行なうデータ表示指示ｄを出力する制御ＣＰＵ１８と、動画の符号化されたパケットをデコードする動画デコード手段４と、多重ストリームから動画の解像度を検出して、提示可能な解像度との一致および不一致を判別し、判別結果を示す判別データｆ１および比較結果ｆ２を出力する解像度判別手段１０および解像度検出手段３０と比較手段３１と、データ表示指示ｄと判別データｆ１および比較結果ｆ２とに基づいて、動画デコード手段４から出力された動画データをそのまま又は切替制御データａにより所定の解像度へ変換して出力する動画マッピング手段２０、２１とを備えたことにより、高画質映像での画質を劣化させることなく表示することができる。
【００６１】
また、解像度判別手段１０が、提示可能な解像度としてデータ放送用に予め規定された動画の解像度を用いて、動画の解像度の一致、不一致を判別することにより、迅速な判別が可能となる。
【００６２】
さらに、解像度判別手段１０が、動画の解像度の検出として、動画デコード手段２０から出力した動画データにおけるヘッダ部のデータにより、動画の水平および垂直方向の画像サイズを検出することにより、受信データから動画のマッピングが行なわれる解像度か否かを判別することができる。
【００６３】
また、多重ストリームから動画の解像度を検出して動画データの解像度を出力する解像度検出手段３０と、動画データの解像度と切替制御データａのデータ放送解像度により示される動画の解像度とを比較し、解像度の一致、不一致を示す判別データとして比較結果ｆ２を出力する比較手段３１とを有することにより、複数の動画プレーン解像度に提示可能な規定が為されている場合でも、動画の解像度を変換し、マッピングされる動画の解像度か否かを受信したデータ放送用の切替制御データに基づくデータ放送解像度から判断することができる。
【００６４】
さらにまた、解像度検出手段３０が、動画デコード手段４から出力した動画データにおけるヘッダ部のデータにより、動画の水平および垂直方向の画像サイズとアスペクト比により示される解像度を検出することにより、動画の解像度を的確に検出できる。
【００６５】
また、動画マッピング手段２０および２１が、切替制御データａにより送られるデータ放送解像度に基づき、動画データを対応する動画プレーンの解像度へ変換するマッピング手段１０２と、判別データｆ１および比較結果ｆ２とデータ表示指示ｄにより、動画デコード手段４からの動画データとマッピング手段１０２から出力された動画データとを切替える切替手段１０１とを有することにより、判別データｆ１、ｆ２とデータ表示指示ｄにより、解像度を変更するか否かを選択することが出来る。
【００６６】
さらに、切替手段１０１が、判別データｆ１および比較結果ｆ２が不一致を示し、かつ、データ表示指示ｄがデータ表示を行わないとする場合に動画デコード手段４からの動画データを出力することにより、データ表示の無い場合は、解像度の変更を行うことなく表示できる。
【００６７】
【発明の効果】
以上のように、この発明によるデジタル放送受信機は、多重ストリームから動画の解像度を検出し、提示可能な解像度との一致および不一致を判別して、判別結果を示す判別データとして出力する解像度判別手段と、データ表示指示とデータ表示指示とに基づいて、動画デコード手段からの動画データを切替制御データより所定の解像度へ変換するか否かを選択し、動画デコード手段からの動画データをそのまま又は解像度を変換して出力する変換手段とを備えたことにより、高画質映像での画質を劣化させることなく表示することができる。
【図面の簡単な説明】
【図１】  この発明の実施の形態１によるデジタル放送受信機の構成の一例を示すブロック図である。
【図２】  この発明の実施の形態１によるデジタル放送受信機における動画マッピング手段の一構成例を示すブロック図である。
【図３】  この発明の実施の形態２によるデジタル放送受信機の構成の一例を示すブロック図である。
【図４】  この発明の実施の形態２によるデジタル放送受信機における動画マッピング手段の一構成例を示すブロック図である。
【図５】  従来のデジタル放送受信機の一構成例を示すブロック図である。
【図６】  ＢＳデジタル放送システム標準規格でのＢＳデジタル放送運用規定による、データ放送解像度での動画、静止画、文字図形の各プレーンの解像度の組み合わせを示す図である。
【図７】  ＢＳデジタル放送システム標準規格でのＢＳデジタル放送運用規定による、動画データの解像度に対し、提示可能な動画プレーン解像度を示す図である。
【図８】  動画と静止画の合成時における表示領域の一例を示す図である。
【符号の説明】
１  チューナ、  ２  復調手段、  ３  パケット分離手段、  ４  動画デコード手段、  ５  音声デコード手段、  ６  静止画デコード手段、  ７  文字図形デコード手段、  ８  切替制御データ抽出手段、  ９  メモリ部、  １０  解像度判別手段、  １２  動画スケーリング手段、  １３  静止画スケーリング手段、  １４  合成手段、  １５  切替領域生成手段、  １６  動画静止画切替領域合成手段、  １７  文字図形合成手段、  １８  制御ＣＰＵ、  １９  リモコン、  ２０  動画マッピング手段、２１  動画マッピング手段、  ３０  解像度検出手段、  ３１  比較手段、  １０１  切替手段、  １０２  マッピング手段。
【図１】
0004697369.tif 000002
【図２】
0004697369.tif 000003
【図３】
0004697369.tif 000004
【図４】
0004697369.tif 000005
【図５】
0004697369.tif 000006
【図６】
0004697369.tif 000007
【図７】
0004697369.tif 000008
【図８】
0004697369.tif 000009